(57)【要約】【課題】工場等において導入が容易な冷暖房機能付の作業台を提供する。【解決手段】本考案に係る冷暖房機能付の作業台は、作業者が作業を行うための作業台であって、作業台の内部空間に形成された中空室と、空調機器から暖気又は冷気の少なくとも何れかの気体を前記中空室に送り込むための送風口と、前記中空室に送り込まれた前記気体を作業台の外部に放出するための通気孔とを備え、前記通気孔は、作業台の側面であって作業者に対向する位置に設けられる。【選択図】図５
0003209285.tif 000002
【実用新案登録請求の範囲】
【請求項１】
作業者が作業を行うための作業台であって、作業台の内部空間に形成された中空室と、空調機器から暖気又は冷気の少なくとも何れかの気体を前記中空室に送り込むための送風口と、前記中空室に送り込まれた前記気体を作業台の外部に放出するための通気孔とを備え、前記通気孔は、作業台の側面であって作業者に対向する位置に設けられることを特徴とする冷暖房機能付の作業台。
【請求項２】
作業台は、長方体に形成され、前記送風口は、前記長方体の上面の短辺と接する側面において設けられ、前記通気孔は、前記長方体の上面の長辺と接する側面において少なくとも１以上設けられることを特徴とする請求項１に記載の冷暖房機能付の作業台。
【考案の詳細な説明】
【技術分野】
【０００１】
本考案は、冷暖房機能付の作業台に関する。
【背景技術】
【０００２】
従来より、部品や製品等の加工、組み立て等を行うための作業用の作業台を配備した工場等において、作業者に対する作業環境を好適に維持するため、工場内の適所に、冬場であれば暖房機を配置したり、夏場であれば冷房機が配置される。
【先行技術文献】
【特許文献】
【０００３】
【特許文献１】特開２００６−１２５７５４号公報
【特許文献２】特開２００４−０６１０５９号公報
【特許文献３】特開２０１０−２４３１４２号公報
【考案の概要】
【考案が解決しようとする課題】
【０００４】
しかしながら、従来型の温風暖房設備、天井赤外線暖房機、床暖房機などは、導入に際して設備が大掛かりになりがちであるという問題がある。また、一定の設置スペースも確保する必要があるところ、特に狭い工場の場合には作業台や機材等を置くためのスペースを圧迫することで、作業性の低下を招く可能性もある。
【０００５】
本考案は、上記の点に鑑み提案されたものであり、工場等において導入が容易な冷暖房機能付の作業台を提供することを目的とする。
【課題を解決するための手段】
【０００６】
上記の課題を解決するため、本考案に係る冷暖房機能付の作業台は、作業者が作業を行うための作業台であって、作業台の内部空間に形成された中空室と、空調機器から暖気又は冷気の少なくとも何れかの気体を前記中空室に送り込むための送風口と、前記中空室に送り込まれた前記気体を作業台の外部に放出するための通気孔とを備え、前記通気孔は、作業台の側面であって作業者に対向する位置に設けられる。
【０００７】
また、上記の課題を解決するため、作業台は、長方体に形成され、前記送風口は、前記長方体の上面の短辺と接する側面において設けられ、前記通気孔は、前記長方体の上面の長辺と接する側面において少なくとも１以上設けられる。
【考案の効果】
【０００８】
本考案の実施の形態によれば、工場等において導入が容易な冷暖房機能付の作業台を提供することができる。
【図面の簡単な説明】
【０００９】
【図１】本実施形態に係る作業台の斜視図を示す。
【図２】本実施形態に係る作業台の右側面図を示す。
【図３】本実施形態に係る作業台の背面図を示す。
【図４】本実施形態に係る作業台の右側面断面図を示す。
【図５】本実施形態に係る作業台における作業態様を示す。
【図６】本実施形態に係る通気孔を示す。
【考案を実施するための形態】
【００１０】
本考案の実施の形態について、図面を参照しつつ詳細に説明する。なお、複数図面に渡って同一符号を付したものが登場する場合、繰り返しとなる重複説明は適宜省略する。
【００１１】
図１は、本実施形態に係る作業台の斜視図を示す。図２は、本実施形態に係る作業台の右側面図を示す。図３は、本実施形態に係る作業台の背面図を示す。図４は、本実施形態に係る作業台の右側面断面図を示す。
【００１２】
図１ないし図４において、本実施形態に係る作業台１０は、長方体形状に形成されており、工場等の床３０に対して水平状の作業テーブル（天板）１１を頂部に有する作業台である。また、作業台１０の右側面、左側面及び背面には、作業台１０の内部空間である中空室１５から滞留した冷気又は暖気（以下、冷暖気という）１６を放出するための通気孔１２が設けられている。作業者は、通気孔１２に対向する位置に立つ又は座るなどして、作業テーブル１１上で所定作業を行う。
【００１３】
なお、図４に示されるように右側面及び左側面においては、それぞれ合計８（行４×列２）個の通気孔１２が設置されているが、作業テーブル辺の長さや作業台の使用勝手等に応じて複数個数、間隔を適宜設置することができる。
【００１４】
また、作業台１０の正面には、空調機器２０から冷暖気１６を中空室１５に送り込むために開口された送風口１３を有する。空調機器２０は、冷暖気１６を生成可能な冷暖房装置２０ａと、冷暖房装置２０ａにより生成された冷暖気１６を送風する送風ファン２０ｂとを含み構成される。図４に示されるように、冷暖房装置２０ａにより生成された冷暖気１６が送風ファン２０ｂにより送風口１３を介して作業台１０の中空室１５に一旦送り込まれると、中空室１５の内部圧がかかり滞留した冷暖気１６は各々の通気孔１２から外へ放出される。
【００１５】
図５は、本実施形態に係る作業台における作業態様を示す。作業者は通気孔１２に対向する位置に立つなどして、作業テーブル１１上で所定作業を行う。空調機器２０から送風口１３を介して冷暖気（気体）１６が中空室１５に送り込まれると、冷暖気１６は中空室１５内を通って各々の通気孔１２から作業者のちょうど腰及び足元の位置に向かって放出される。冷暖気が作業者に向かって直接吹き出す構造により、冷暖房効果が生じる。
【００１６】
なお、作業者の体感温度は、空調機器２０の設定温度や工場内の室温にもよるものの、概ね冷房時はマイナス５〜６℃程度、暖房時はプラス５〜６℃程度の冷暖房効果を奏する。
【００１７】
また、空調機器２０の冷暖房効果が得られる限りにおいて、作業テーブル１１は上面の長辺方向上に更に延長するなど、作業台１０のサイズは自由にカスタマイズすることも可能である。
【００１８】
図６は、本実施形態に係る通気孔を示す。図６に示されるように、冷暖気の放出効果を高めるため、通気孔１２は中空室１５側に受部材１２ａが取り付けられる。空調機器２０から送り込まれた冷暖気１６の気流の一部は、受部材１２ａによって受け流され、通気孔１２の方向へと放出される。
【００１９】
また、通気孔１２は開閉式に構成することが可能である。作業者が寒すぎたり暑すぎると感じる場合には、通気孔１２の開閉ツマミ１２ｂを外側から操作して、通気孔１２のシャッターを閉口して冷暖気を遮断したり、もしくはシャッターの開口を小さくすることで冷暖気量を微調整することができる。
【００２０】
なお、作業台１０の側面上部に設けられた通気孔１２は、特に夏季に腰から上半身を冷却するのに適し、側面下部に設けられた通気孔１２は、特に冬季に足元を暖めるのに適している。
【００２１】
以上、本実施形態に係る冷暖房機能付の作業台１０は、作業者が作業テーブル１１上で所定作業を行う際、作業台１０の通気孔１２から作業者のちょうど腰及び足元の位置に向かって冷暖気が放出される。この冷暖房効果により、特に夏場や冬場において作業者に対する作業環境を好適に維持することが可能である。
【００２２】
導入に際しては、工場内に作業台１０を搬入し配置するだけで容易に設置が可能である。配置自由度も高い。また従来と同様の作業台１０を置く設置スペースさえ確保すればよいため、特に狭い工場の場合などでスペースを圧迫し作業性の低下を招くこともない。また作業台１０の製作コスト自体も低く抑えられるため、工場側としてコスト面からも導入が容易である。なお、工場において既に温風暖房設備などがあればそれをそのまま利用してもよい。
【００２３】
即ち、本実施形態に係る作業台１０によれば、工場等において導入が容易な冷暖房機能付の作業台を提供することが可能である。
【００２４】
なお、本考案の好適な実施の形態により、特定の具体例を示して本考案を説明したが、特許請求の範囲に定義された本考案の広範な趣旨および範囲から逸脱することなく、これら具体例に様々な修正および変更を加えることができることは明らかである。すなわち、具体例の詳細および添付の図面により本考案が限定されるものと解釈してはならない。
【００２５】
例えば、作業テーブル１１は、一般作業用には集成材、食品加工用にはステンレス素材など、適宜作業の用途に応じた素材を適用することが可能である。
【符号の説明】
【００２６】
１０    作業台
１１    作業テーブル
１２    通気孔
１２ａ  受部材
１２ｂ  開閉ツマミ
１３    送風口
１５    中空室
１６    冷暖気
２０    空調機器
２０ａ  冷暖房装置
２０ｂ  送風ファン
３０    床
【図１】
0003209285.tif 000003
【図２】
0003209285.tif 000004
【図３】
0003209285.tif 000005
【図４】
0003209285.tif 000006
【図５】
0003209285.tif 000007
【図６】
0003209285.tif 000008